【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
シートを収納するシート収納部と、
前記シート収納部に対して所定の移動方向に移動可能に設けられ、前記シート収納部に収納されたシートの前記移動方向の位置を規制する規制部材と、
前記規制部材に設けられた第１の係合部と、
前記シート収納部に設けられ、前記第１の係合部と係合することにより前記規制部材を前記移動方向における複数の保持位置で保持する第１の被係合部と
を備え、
前記第１の係合部および前記第１の被係合部のうちの一方は、前記移動方向に第１の間隔で配列された複数の係合溝を有し、
前記第１の係合部および前記第１の被係合部のうちの他方は、前記移動方向に第２の間隔で配列され、前記複数の係合溝と係合する複数の係合突起を有し、
前記複数の保持位置の間隔は前記第１の間隔と等しく、前記第２の間隔は前記第１の間隔の２以上の整数倍であることを特徴とするシート収納装置。
【請求項２】
前記第１の被係合部が前記複数の係合突起を有し、前記第１の係合部が前記複数の係合溝を有することを特徴とする請求項１に記載のシート収納装置。
【請求項３】
前記規制部材に設けられた第２の係合部と、
前記シート収納部に設けられ、前記第２の係合部と係合することにより前記規制部材を前記移動方向における所定の位置で保持する第２の被係合部と
をさらに備えることを特徴とする請求項１または２に記載のシート収納装置。
【請求項４】
前記第２の被係合部は、１種類以上の定形サイズのシートに対応する位置に１以上の係合穴を有し、
前記第２の係合部は、前記１以上の係合穴のいずれかと係合する係合突起を有することを特徴とする請求項３に記載のシート収納装置。
【請求項５】
前記第１および第２の係合部は、外力を受けて前記第１の係合部が前記第１の被係合部から離間する方向に移動することにより、前記第１の係合部と前記第１の被係合部との係合が解除された後、前記第１の係合部の移動による力を受けて前記第２の係合部が前記第２の被係合部から離間する方向に移動し、前記第２の係合部と前記第２の被係合部との係合が解除されるように構成されていることを特徴とする請求項３または４に記載のシート収納装置。
【請求項６】
前記第１および第２の係合部は、外力を受けて前記第２の係合部が前記第２の被係合部から離間する方向に移動することにより、前記第２の係合部と前記第２の被係合部との係合が解除された後、前記第２の係合部の移動による力を受けて前記第１の係合部が前記第１の被係合部から離間する方向に移動し、前記第１の係合部と前記第１の被係合部との係合が解除されるように構成されていることを特徴とする請求項３または４に記載のシート収納装置。
【請求項７】
シートを収納するシート収納部と、
前記シート収納部に対して所定の移動方向に移動可能に設けられ、前記シート収納部に収納されたシートの前記移動方向の位置を規制する規制部材と、
前記規制部材に設けられた第１および第２の係合部と、
前記シート収納部に設けられ、それぞれ前記第１および第２の係合部と係合することにより前記規制部材を前記移動方向における所定の位置で保持する第１および第２の被係合部と
を備え、
前記第１および第２の係合部は、外力を受けて前記第１の係合部が前記第１の被係合部から離間する方向に移動することにより、前記第１の係合部と前記第１の被係合部との係合が解除された後、前記第１の係合部の移動による力を受けて前記第２の係合部が前記第２の被係合部から離間する方向に移動し、前記第２の係合部と前記第２の被係合部との係合が解除されるように構成されていることを特徴とするシート収納装置。
【請求項８】
前記第１の係合部および前記第１の被係合部のうちの一方は、前記移動方向に等間隔で配列された複数の係合溝を有し、
前記第１の係合部および前記第１の被係合部のうちの他方は、前記移動方向に等間隔で配列され、前記複数の係合溝と係合する複数の係合突起を有し、
前記第２の被係合部は、１種類以上の定形サイズのシートに対応する位置に１以上の係合穴を有し、
前記第２の係合部は、前記１以上の係合穴のいずれかと係合する係合突起を有することを特徴とする請求項７に記載のシート収納装置。
【請求項９】
前記第２の係合部および前記第２の被係合部のうちの一方は、前記移動方向に等間隔で配列された複数の係合溝を有し、
前記第２の係合部および前記第２の被係合部のうちの他方は、前記移動方向に等間隔で配列され、前記複数の係合溝と係合する複数の係合突起を有し、
前記第１の被係合部は、１種類以上の定形サイズのシートに対応する位置に１以上の係合穴を有し、
前記第１の係合部は、前記１以上の係合穴のいずれかと係合する係合突起を有することを特徴とする請求項７に記載のシート収納装置。
【請求項１０】
前記第１および第２の係合部は、それぞれ当接部を有し、
前記第１および第２の係合部の当接部は、前記第１および第２の係合部の両方が係合している場合には互いに離間しており、前記第１および第２の係合部のうちの一方の係合部が前記外力によって移動する際、前記一方の係合部の係合が解除された後、前記一方の係合部の当接部が、前記第１および第２の係合部のうちの他方の係合部の当接部に当接して前記移動による力を付与することを特徴とする請求項５から９のいずれか１項に記載のシート収納装置。
【請求項１１】
前記第１の係合部の前記移動および前記第２の係合部の前記移動は、いずれも直線運動であることを特徴とする請求項５から１０のいずれか１項に記載のシート収納装置。
【請求項１２】
前記規制部材に対して回動可能に設けられ、操作力を受けて回動することにより、前記第１および第２の係合部のうちの一方の係合部に前記外力を付与するレバーをさらに備えることを特徴とする請求項５から１１のいずれか１項に記載のシート収納装置。
【請求項１３】
前記レバーは、前記規制部材に対して支点を中心として回動可能に設けられ、前記支点の一方側に前記操作力を受ける力点部を有し、前記支点の他方側に前記一方の係合部に前記外力を作用させる作用点部を有する梃子部材であることを特徴とする請求項１２に記載のシート収納装置。
【請求項１４】
前記レバーは、前記移動方向と平行な方向の力を前記操作力として受けるように構成されていることを特徴とする請求項１２または１３に記載のシート収納装置。
【請求項１５】
回動軸周りに回動し、一端に作用点部を有するレバーをさらに含み、
前記レバーが回動して前記作用点部が前記第１の係合部に当接し、さらに前記レバーが回動すると、前記第１の係合部が直線移動して前記第１の被係合部から離間することを特徴とする請求項７から９のいずれか１項に記載のシート収納装置。
【請求項１６】
前記第２の係合部を前記第２の被係合部に向けて付勢する第２の付勢部材をさらに備えることを特徴とする請求項３から１５のいずれか１項に記載のシート収納装置。
【請求項１７】
前記第１の係合部を前記第１の被係合部に向けて付勢する第１の付勢部材をさらに備えることを特徴とする請求項１から１６のいずれか１項に記載のシート収納装置。
【請求項１８】
請求項１から１７のいずれか１項に記載のシート収納装置と、
前記シート収納装置に収納されたシートを送り出すシート送出部と、
前記シート送出部により送り出されたシート上に画像を形成する画像形成部と
を含むことを特徴とする画像形成装置。